(57)【特許請求の範囲】
【請求項１】
多数の毛を束ねた筆穂を挿入する貫通穴を画定した環状保持部を備え、インク又は墨液が収容された軸状のペン本体の先端に筆穂を固定すべく、環状保持部をペン本体と同心にしてペン本体の先端部に固定される筆ペン用筆穂保持部材であって、環状保持部の内周面上に弾性変形可能な弾性層が形成され、貫通穴に挿入される筆穂の外周が弾性層に圧接するように構成されていることを特徴とする筆ペン用筆穂保持部材。
【請求項２】
前記弾性層は、ウレタン樹脂で構成されるとともに、内部に連続気泡が形成されている請求項１に記載の筆ペン用筆穂保持部材。
【請求項３】
インク又は墨液が収容された軸状のペン本体と、多数の毛を束ねた筆穂と、該筆穂をペン本体の先端に固定するための筆穂保持部材とを備え、該筆穂保持部材は、筆穂を挿入する貫通穴を画定した環状保持部を備え、該環状保持部をペン本体と同心にして筆穂保持部材がペン本体の先端部に固定された筆ペンであって、環状保持部の内周面又は筆穂の外周面の少なくとも何れか一方に弾性変形可能な弾性層が形成され、該弾性層が筆穂の外周と環状保持部とに挟まれて環状保持部の内周面に圧接するとともに筆穂の外周形状に対応して変形していることを特徴とする筆ペン。
【請求項４】
前記弾性層は、ウレタン樹脂で構成されるとともに、内部に連続気泡が形成されている請求項３に記載の筆ペン。
【発明の詳細な説明】
【技術分野】
【０００１】
本発明は、多数の毛を束ねた筆穂を軸状のペン本体の先端に固定するための筆ペン用筆穂保持部材及びこれを備えた筆ペンに関する。
【背景技術】
【０００２】
従来から、図５に示す如く、多数の毛１１０’を束ねた筆穂１１’が軸状のペン本体１０’の先端に固定され、該ペン本体１０’内のインク又は墨液が筆穂１１’に供給されるように構成された筆ペン１’が周知である。
【０００３】
かかる筆ペン１’は、筆穂１１’をペン本体１０’の先端に固定すべく、筆穂１１’を保持する筆穂保持部材１２’を備えている。かかる筆穂保持部材１２’は、樹脂成形品で構成されており、筆穂１１’を挿入するための貫通穴１２０’を画定した環状保持部１２１’を備えている。
【０００４】
前記筆穂保持部材１２’は、環状保持部１２１’（貫通穴１２０’）に筆穂１１’を圧入することで、筆穂１１’の基端側を環状保持部１２１’で保持するようになっており、ペン本体１０’の先端部に内装された状態で該ペン本体１０’に固定されるようになっている。
【０００５】
従って、この種の筆ペン１’は、筆穂１１’の基端側がインク又は墨液を収容したペン本体１０’内に位置する一方で、筆穂１１’の先端側がペン本体１０’の先端から延出しており、筆穂１１’全体にペン本体１０’内のインク又は墨液が供給されるようになっている（例えば、特許文献１参照）。
【先行技術文献】
【特許文献】
【０００６】
【特許文献１】実開平７−３５０８４号公報
【発明の概要】
【発明が解決しようとする課題】
【０００７】
ところで、前記筆穂１１’は、同一の太さの毛１１０’…を束ねて形成すると、硬すぎたり柔らかすぎたりして書きにくくなることがあるため、一般的に、筆者に好まれる硬さ（書きやすい硬さ）になるように、太さの異なる毛１１０’…を束ねる（混毛する）ことで硬さ（コシの強さ）が調節されている。
【０００８】
そのため、量産される筆穂１１’のそれぞれは、毛１１０’…の太さの違いや、太さの異なる毛１１０’…の混毛率等の違いで外径（毛１１０’…の束径）が一定寸法になっていないのが実情であり、加工精度の高い樹脂成形品である筆穂保持部材１２’（環状保持部１２１’）に圧入しても、図６に示す如く、筆穂１１’と環状保持部１２１’との間に隙間Ｎができることがあり、このような状態になるとインク又は墨液が漏れ易い状態になってしまう。
【０００９】
すなわち、上記構成の筆ペン１’は、ペン本体１０’から筆穂１１’にインク又は墨液を供給するようになっているため、筆穂１１’と環状保持部１２１’との間に隙間Ｎが形成されると、ペン本体１０’内のインク又は墨液が隙間Ｎを介して外部に漏れ易い状態になってしまう。また、上述の如く、筆穂１１’と環状保持部１２１’との間に隙間Ｎが形成されると、筆穂１１’を構成する多数の毛１１０’…の配置が拘束されずに各毛１１０’…間に隙間ができてしまい、ペン本体１０’内のインク又は墨液が筆穂１１’と環状保持部１２１’との間の隙間Ｎからだけでなく筆穂１１’（毛１１０’…の間）からも漏れ易い状態になってしまう。
【００１０】
このような状態になるのを回避するには、環状保持部１２１’に対する筆穂１１’の圧接を高めることが考えられるが、上述の如く、上記構成の筆ペン１’は、ペン本体１０’から筆穂１１’にインク又は墨液を供給するようになっているため、筆穂１１’を環状保持部１２１’に対して必要以上に圧接させると、筆穂１１’を構成する多数の毛１１０’…同士が密接してしまい、インク又は墨液が流れにくくなってしまう。
【００１１】
従って、従来の筆ペン１’では、筆穂１１’の仕上がり状態（筆穂保持部材１２’に対する筆穂１１’の圧入状態）によって筆穂１１’へのインク又は墨液の供給量が異なり、使用した筆ペン１’によって文字や絵画の仕上がり状態が異なることがあった。また、筆穂１１’と環状保持部１２１’との間に隙間Ｎが形成されると、インク又は墨液の供給状態に影響を及ぼすだけでなく、筆穂１１’が安定した状態で固定されなくなる（筆穂１１’にガタツキが生じる）ため、筆記を妨げてしまう（使い心地を悪くする）原因となる。
【００１２】
そこで、本発明は、筆穂の外径のバラツキに関係なく、筆穂を確実に固定できるとともに、筆穂に対してインク又は墨液を適正に供給できる状態にすることができ、安定した筆記が可能となる筆ペン用筆穂保持部材を提供するとともに、筆穂の外径のバラツキに関係なく、筆穂を確実に固定できるとともに、筆穂に対してインク又は墨液を適正に供給でき、安定した筆記が可能となる筆ペンを提供することを課題とする。
【課題を解決するための手段】
【００１３】
本発明に係る筆ペン用筆穂保持部材は、多数の毛を束ねた筆穂を挿入する貫通穴を画定した環状保持部を備え、インク又は墨液が収容された軸状のペン本体の先端に筆穂を固定すべく、環状保持部をペン本体と同心にしてペン本体の先端部に固定される筆ペン用筆穂保持部材であって、環状保持部の内周面上に弾性変形可能な弾性層が形成され、貫通穴に挿入される筆穂の外周が弾性層に圧接するように構成されていることを特徴とする。
【００１４】
上記構成の筆ペン用筆穂保持部材によれば、環状保持部の内周面上に弾性変形可能な弾性層が形成されているため、環状保持部が画定した貫通穴に筆穂を挿入すると、筆穂の外周が弾性層に圧接して該弾性層が筆穂の外周形状（外周回りにある毛）に対応して変形することになる。これにより、弾性層は、外周にある毛の間に嵌り込んだ状態になるため、筆穂と環状保持部の内周との間に隙間が形成されることがなく、また、筆穂を構成する多数の毛の配置が拘束されることになる。従って、筆ペン用筆穂保持部材がペン本体に固定されて筆ペンの一構成となった状態で、インク又は墨液を外部に漏らすことなく、適量のインク又は墨液を筆穂の先端まで供給することができる。また、上述の如く、弾性層が外周にある毛の間に嵌り込んだ状態になると、筆穂全体が拘束される（筆穂が安定した状態で固定される）ため、安定した筆記が可能となる。
【００１５】
また、本発明に係る筆ペン用筆穂保持部材の一態様として、前記弾性層は、ウレタン樹脂（ゴム）で構成されるとともに、内部に連続気泡が形成されていることが好ましい。このようにすれば、弾性層に適度な弾性が付与されることになり、弾性層が筆穂の外形（毛の配置）に対応して適正に変形することになる。これにより、環状保持部と筆穂の外周との間に隙間を形成することなく筆穂を構成する多数の毛を適度に拘束することができるため、インク又は墨液の漏れを確実に防止した上で、適量のインク又は墨液を筆穂の先端にまで供給することができる。また、筆穂を構成する多数の毛を拘束できることで、筆穂全体を確実に固定することができ、より安定した筆記が可能となる。
【００１６】
本発明に係る筆ペンは、インク又は墨液が収容された軸状のペン本体と、多数の毛を束ねた筆穂と、該筆穂をペン本体の先端に固定するための筆穂保持部材とを備え、該筆穂保持部材は、筆穂を挿入する貫通穴を画定した環状保持部を備え、該環状保持部をペン本体と同心にして筆穂保持部材がペン本体の先端部に固定された筆ペンであって、環状保持部の内周面又は筆穂の外周面の少なくとも何れか一方に弾性変形可能な弾性層が形成され、該弾性層が筆穂の外周と環状保持部とに挟まれて環状保持部の内周面に圧接するとともに筆穂の外周形状に対応して変形していることを特徴とする。
【００１７】
上記構成の筆ペンによれば、環状保持部の内周面又は筆穂の外周面の少なくとも何れか一方に弾性変形可能な弾性層が形成されているため、環状保持部が画定した貫通穴に筆穂を挿入すると、筆穂の外周と環状保持部とに弾性層が挟まれ、弾性層が環状保持部の内周面に圧接するとともに筆穂の外周形状（外周回りにある毛）に対応して変形することになる。これにより、弾性層は、外周にある毛の間に嵌り込んだ状態になるため、筆穂と環状保持部の内周との間に隙間が形成されることがなく、また、筆穂を構成する多数の毛の配置が拘束されることになる。従って、上記構成の筆ペンは、インク又は墨液を外部に漏らすことなく、適量のインク又は墨液を筆穂の先端まで供給することができる。また、上述の如く、弾性層が外周にある毛の間に嵌り込んだ状態になると、筆穂全体が拘束される（筆穂が安定した状態で固定される）ため、安定した筆記が可能となる。
【００１８】
また、本発明に係る筆ペンの一態様として、前記弾性層は、ウレタン樹脂（ゴム）で構成されるとともに、内部に連続気泡が形成されていることが好ましい。このようにすれば、弾性層に適度な弾性が付与されることになり、弾性層が筆穂の外形（毛の配置）に対応して適正に変形することになる。これにより、環状保持部と筆穂の外周との間に隙間を形成することなく筆穂を構成する多数の毛を適度に拘束することができるため、インク又は墨液の漏れを確実に防止した上で、適量のインク又は墨液を筆穂の先端にまで供給することができる。また、このように筆穂を構成する多数の毛を拘束できることで、筆穂全体を確実に固定することができ、より安定した筆記が可能となる。
【発明の効果】
【００１９】
以上のように、本発明に係る筆ペン用筆穂保持部材は、筆穂の外径のバラツキに関係なく、筆穂を確実に固定できるとともに、筆穂に対してインク又は墨液を適正に供給できる状態にすることができ、安定した筆記が可能となるという優れた効果を奏し得る。
【００２０】
また、本発明に係る筆ペンは、筆穂の外径のバラツキに関係なく、筆穂を確実に固定できるとともに、筆穂に対してインク又は墨液を適正に供給でき、安定した筆記が可能となるという優れた効果を奏し得る。
【図面の簡単な説明】
【００２１】
【図１】本発明の一実施形態に係る筆ペンの斜視図を示す。
【図２】同実施形態に係る筆ペンの分解斜視図を示す。
【図３】同実施形態に係る筆ペンの組み立て途中の斜視図を示す。
【図４】同実施形態に係る筆穂保持部材の部分断面図であって、（ａ）は、筆穂保持部材（環状保持部の一部及び弾性層）の部分拡大断面図を示し、（ｂ）は、筆穂を保持した筆穂保持部材の（環状保持部の一部及び弾性層）の部分拡大断面図を示す。
【図５】従来の筆ペンの斜視図であって、内部の筆穂保持部材を実線で示す一方で、ペン本体を二点鎖線（仮想線）で示した斜視図を示す。
【図６】従来の筆ペンの筆穂及び筆穂保持部材の部分拡大断面図を示す。
【発明を実施するための形態】
【００２２】
以下、本発明の一実施形態について、添付図面を参照しつつ説明する。
【００２３】
本実施形態に係る筆ペンは、図１に示す如く、軸状のペン本体１０と、多数の毛１１０…を束ねた筆穂１１と、筆穂１１をペン本体１０の先端に固定するための筆穂保持部材（筆ペン用筆穂保持部材）１２とを備えている。
【００２４】
前記ペン本体１０は、内部にインク又は墨液(本実施形態においては墨液)が収容されている。より具体的には、ペン本体１０は、墨液が収容された中空軸状の胴軸１００と、該胴軸１００の先端に連結される先軸１０５とを備えている。前記胴軸１００は、図２に示す如く、先端部に雄ネジ１０１が形成されている。また、前記胴軸１００は、先端に後述する導入針１３１を刺通させる刺針部１０２が形成されている。
【００２５】
前記先軸１０５は、筆ペン１のグリップ（握り部分）を構成するもので、両端が開口した筒状に形成されている。そして、該先軸１０５は、胴軸１００の雄ネジ１０１に螺合させる雌ネジ１０６が基端部内周に形成されている。これにより、本実施形態に係る筆ペン１は、胴軸１００と先軸１０５とを螺合させることで、一本のペン本体１０になるようになっている。先軸１０５は、先端に向けて先細りに形成されており、基端開口よりも先端開口が小径になっている。そして、該筆ペン１は、ペン本体１０の先端側の領域内に筆穂保持部材１２が内装されるようになっている。すなわち、本実施形態に係る筆ペン１は、先軸１０５に筆穂保持部材１２が内装されるようになっている。
【００２６】
そして、本実施形態に係る筆ペン１は、上述の如く、ペン本体１０を胴軸１００及び先軸１０５で構成し、これらを互いに連結する（螺合する）ように構成されているため、これに伴って、胴軸１００内の墨液を先軸１０５内に導入（供給）するための導入部材１３を備えている。かかる導入部材１３は、先軸１０５に対して筆穂保持部材１２よりも基端側に内装され、胴軸１００内と先軸１０５内とを流体的に接続するように構成されている。より具体的には、導入部材１３は、先軸１０５の基端側の開口を閉塞する円板状の封止部１３０と、封止部１３０の一方の面に延設された導入針１３１と、封止部１３０の他方の面に延設された供給針１３２とを備えている。導入針１３１と供給針１３２とは、中空に形成され、内部が互いに連通している。
【００２７】
前記筆穂１１は、多数の毛１１０…を束ねて形成されている。本実施形態に係る筆穂１１は、太さの異なる毛１１０…を束ねて形成されており、使用者の書き心地のよい硬さ（コシの強さ）に調整されている。かかる筆穂１１は、束ねた多数の毛１１０…の基端同士が溶着（例えば、熱溶着）されて形成されている。これにより、筆穂１１は、多数の毛１１０…を束ねた状態で維持できるようになっている。また、上述の如く、多数の毛１１０…の基端同士を溶着することで、筆穂１１の基端部には鍔状部１１１が形成されている。すなわち、多数の毛１１０…の基端を溶着すること（熱溶着すること）による、いわゆるダマの集合によって鍔状部１１１が形成されている。
【００２８】
筆穂保持部材１２は、多数の毛１１０…を束ねた筆穂１１を挿入する貫通穴１２０を画定した環状保持部１２１を備えている。より具体的には、筆穂保持部材１２は、筆穂１１を構成する毛束を整える（毛１１０…の配置を拘束する）ために、筆穂１１が圧入される貫通穴１２０を形成した環状保持部１２１と、該環状保持部１２１の基端から延出した延出部１２２ａ，１１２ｂと、該延出部１２２ａ，１１２ｂの基端部に連設され、環状保持部１２１の径方向外方に延出するするフランジ部１２３とを備えている。
【００２９】
前記環状保持部１２１の外径は、先軸１０５の先端開口の内径と略同一或いはやや小径に設定されており、先軸１０５に内装した状態で、先端側の一部が先軸１０５の先端から延出するように形成されている。これに対し、環状保持部１２１の内径は、所定の本数の毛１１０…（束ねた毛１１０…）の束径（筆穂１１の外形）に対応するように設定されている。
【００３０】
そして、本実施形態に係る筆穂保持部材１２は、図２及び図４（ａ）に示す如く、環状保持部１２１の内周面上に弾性変形可能な弾性層１２４が形成されている。すなわち、環状保持部１２１は、先端側の内周面の全周に弾性層１２４が形成されている。かかる弾性層１２４は、ウレタン樹脂で構成されており、内部には無数の気泡（空間）が形成されている。本実施形態に係る弾性層１２４内の気泡は、連続気泡になっている。
【００３１】
該弾性層１２４内の連続気泡は、周知の技法によって形成されたもので、例えば、樹脂成形された筆穂保持部材１２（環状保持部１２１）の内周面の全周に、液状（或いは、ゲル状）のウレタン樹脂に微粉状の塩成分を混練したものを所定の厚みになるように塗布して固化させた上で、塩成分を溶出させることで形成されている。これにより、前記弾性層１２４は、ウレタン樹脂自身の特性（弾性）に加え、内部に形成される連続気泡の存在で弾性変形し易くなっており、筆穂１１を環状保持部１２１に圧入したときに、筆穂１１の外周に単に圧接するのではなく、圧接に伴う弾性変形で隆起した部分が筆穂１１の外周に位置する毛１１０…と毛１１０との間に入り込むようになっている。
【００３２】
図２に戻り、前記延出部１２２ａ，１１２ｂは、環状保持部１２１に圧入状態にある筆穂１１の基端側を被うように形成されている。より具体的には、本実施形態に係る筆穂保持部材１２は、環状保持部１２１の基端から延出した延出部１２２ａ，１１２ｂが一対設けられている。そして、一対の延出部１２２ａ，１１２ｂは、環状保持部１２１に圧入した筆穂１１を介在させるように、互いに間隔をあけて配置されている。これにより、本実施形態に係る筆穂保持部材１２は、一対の延出部１２２ａ，１１２ｂ間に環状保持部１２１側からフランジ部１２３側に延びる（フランジ部１２３側から環状保持部１２１側に延びる）一対のスリット１２２ｃ，１２２ｄが形成されている。
【００３３】
これに伴い、本実施形態に係る筆ペン１は、一対の延出部１２２ａ，１１２ｂに筒状のスポンジ部材１４を外嵌するようになっている。かかるスポンジ部材１４は、柔軟な樹脂で形成されており、内部に無数の連続気泡が形成されている。これにより、スポンジ部材１４は、筆穂１１側に供給されて余剰な墨液を吸収する他に、上述の如く、筆穂保持部材１２を先軸１０５に内装したときに、筆穂保持部材１２と先軸１０５とのクッションとしても機能するようになっている。
【００３４】
前記フランジ部１２３は、環状保持部１２１の貫通穴１２０と同心をなす穴（採番しない）が形成されている。そして、該フランジ部１２３は、鍔状を呈しており、先軸１０５に内装したときに該先軸１０５の内部にある位置決め部（図示しない）と干渉し、先軸１０５の軸線方向における位置決めをするようになっている。すなわち、フランジ部１２３は、該筆穂保持部材１２を先軸１０５に内装したときに、上述の如く、環状保持部１２１の先端部が先口（開口）から所定量延出した状態で維持できるように、筆穂保持部材１２全体における先軸１０５の軸線方向の移動を規制するようになっている。
【００３５】
また、フランジ部１２３は、外径が先軸１０５の内径に対応するように設定されており、先軸１０５に内装したときに、外周が先軸１０５の内周に当たって径方向における位置決めをするようになっている。すなわち、フランジ部１２３は、該筆穂保持部材１２を先軸１０５に内装したときに、該筆穂保持部材１２の軸線（環状保持部１２１の中心線）が先軸１０５の軸線と一致又は略一致した状態で維持できるように、筆穂保持部材１２全体における先軸１０５の径方向の移動を規制するようになっている。
【００３６】
フランジ部１２３は、筆穂１１の基端部（鍔状部１１１）を係止可能に形成されている。これにより、筆穂保持部材１２に筆穂１１を挿入（環状保持部１２１に筆穂１１を圧入）した状態で、筆穂１１がフランジ部１２３に位置決め（抜け止め）され、環状保持部１２１から筆穂１１の先端側が所定量延出した状態で維持できるようになっている。
【００３７】
本実施形態に係る筆ペン１は、図３に示す如く、筆穂１１を環状保持部１２１に圧入させた筆穂保持部材１２を先軸１０５に内装した上で、導入部材１３の封止部１３０を先軸１０５の基端部に内装すると、導入部材１３の供給針１３２が筆穂１１の基端部に挿入された状態になるように構成されている。また、筆穂保持部材１２及び導入部材１３が内装された先軸１０５に対し、胴軸１００を連結（螺合）させることで、導入部材１３の導入針１３１が胴軸１００の先端部に設けられた刺針部１０２に挿入された状態になるように構成されている。これにより、本実施形態に係る筆ペン１は、胴軸１００内の墨液が導入部材１３を介して筆穂１１にまで導かれるようになっている。
【００３８】
そして、本実施形態に係る筆ペン１は、図４（ａ）に示す如く、筆穂保持部材１２（環状保持部１２１）の内周面全周に弾性層１２４が設けられているため、上述の如く筆穂１１を筆穂保持部材１２に組み込んだとき（筆穂１１を環状保持部１２１の圧入したとき）に、図４（ｂ）に示す如く、筆穂１１の外周が弾性層１２４に圧接して該弾性層１２４が筆穂１１の外周形状（外周回りにある毛１１０…）に対応して変形し、弾性変形した弾性層１２４が外周にある毛１１０…の間に嵌り込んだ状態になっている。これにより、筆穂１１と環状保持部１２１の内周との間に隙間が形成されることがなく、また、筆穂１１を構成する多数の毛１１０…が互いに圧接しすぎることなく適正な配置で拘束される結果、ペン本体１０内の墨液が外部に漏れ出ることのない適量で筆穂１１に供給されることになる。
【００３９】
以上のように、本実施形態に係る筆ペン１は、筆穂１１の外径のバラツキに関係なく、筆穂１１を確実に固定できるとともに、筆穂１１に対して墨液を適正に供給でき、安定した筆記が可能となるという優れた効果を奏することができる。
【００４０】
また、筆穂保持部材１２は、筆ペン１に組み込まれた状態で、筆穂１１の外径のバラツキに関係なく、筆穂１１を確実に固定できるとともに、筆穂１１に対して墨液を適正に供給できる状態にすることができるという優れた効果を奏することができる。
【００４１】
そして、弾性層１２４内に連続気泡を形成することで該弾性層１２４が変形し易くなるため、弾性層１２４が筆穂１１を構成する毛１１０の配置に対応した形状（毛１１０を適度に拘束できる形状）に適正且つ確実に変形でき、また、筆ペン１を用いて文字等を書くときに筆穂１１が曲げ作用に追従しやすく、筆穂１１をしなやかにすることができる。また、上述の如く、弾性層１２４内の気泡を連続気泡とすることで、墨液の吸収機能を高めることができ、筆穂１１内の墨液の量を適正な状態にすることができる。また、本実施形態に係る筆ペン１（筆穂保持部剤１２）は、筆穂１１（筆穂１１を構成する多数の毛１１０…）を拘束できるため、筆穂１１全体を確実に固定することができる。
【００４２】
なお、本発明は、上記実施形態に限定されるものではなく、本発明の要旨を逸脱しない範囲で適宜変更可能であることは勿論である。
【００４３】
上記実施形態において、筆穂保持部材１２を筆ペン１の一構成として説明したが、筆穂保持部材１２は、それ独自で部品として構成するものであるため、筆穂保持部材１２は筆ペン１に組み込まれたものに限定されるものではなく、本発明において、筆ペン１に加え、独立して流通する部品としての筆穂保持部材１２も対象とする。
【００４４】
上記実施形態において、先軸１０５の内装される筆穂保持部材１２について説明したが、これに限定されるものではなく、例えば、筆穂保持部材１２全体を筒状に形成し、該筆穂保持部材１２で先軸１０５を構成するようにしてもよい。この場合、筆穂保持部材１２（先軸１０５）の先端部が環状保持部１２１となるため、弾性層１２４を先軸１０５（筆穂保持部材１２）の先端部内周に形成すればよい。
【００４５】
また、上記実施形態において、ペン本体１０を胴軸１００と先軸１０５とで構成したが、これに限定されるものではなく、ペン本体１０を単一な構成としてもよい。この場合、筆穂保持部材１２をペン本体１０の先端部に内装するようにしてもよいし、筆穂保持部材１２を筒状に形成してペン本体１０の先端に連結するようにしてもよい。すなわち、ペン本体１０に対する筆穂保持部材１２の固定方法は、種々選択可能であり、何れの場合においても、筆穂保持部材１２が、筆穂１１を挿入させる貫通穴１２０を画定した環状保持部１２１を少なくとも備え、該環状保持部１２１の内周面上に弾性層１２４が形成されれば上記実施形態と同様の作用及び効果を奏することができる。
【００４６】
上記実施形態において、弾性層１２４をウレタン樹脂で構成したが、これに限定されるものではなく、ウレタン樹脂以外のゴム素材で弾性層１２４を形成するようにしてもよい。また、弾性層１２４は、液状の素材を環状保持部１２１の内周に塗布して固化させたものに限定されるものではなく、例えば、弾性層１２４は、弾性を有する素材を薄肉環状に成型したものを、環状保持部１２１の内周に接着することで形成してもよい。すなわち、弾性層１２４は、成型方法に関係なく、圧入した筆穂１１との関係で、該筆穂１１を構成する毛１１０…に対応して弾性変形できるものであればよい。
【００４７】
上記実施形態において、ペン本体１０内に墨液を収容した、いわゆる毛筆用の筆ペン１について説明したが、これに限定されるものではなく、例えば、ペン本体１０内の所定の色のインクを収容した絵画用の筆ペン１であっても勿論よい。
【００４８】
上記実施形態において、弾性層１２４として内部に連続気泡を形成したものを採用したが、これに限定されるものではなく、例えば、内部に多数の独立気泡の形成されたものや、内部が中実に形成されたものであってもよい。すなわち、弾性層１２４は、筆穂１１の圧接で弾性変形できれば、内部に気泡の有無や気泡の形態は適宜選択して適用すればよい。但し、ペン本体１０内のインク又は墨液が筆穂１１の先端にまで供給されるという筆ペン１独自の構成を鑑みれば、上記実施形態のように弾性層１２４内に連続気泡を形成することで、弾性層１２４を変形させやすくできる上に、墨液やインクの吸収機能を付加することができ、筆穂１１内の墨液やインクの量を適正な状態にすることができるため、上記実施形態のように弾性層１２４をウレタン樹脂で構成するとともに、内部に連続気泡を形成することが好ましいことは言うまでもない。
【００４９】
上記実施形態において、筆穂保持部材１２（環状保持部１２１）の内周面のみに弾性層１２４を形成するようにしたが、これに限定されるものではなく、例えば、筆穂１１の基端側（筆記に影響を与えない部位）の外周に弾性層１２４を形成し、その弾性層１２４が環状保持部１２１の内周面と対向するように筆穂１１を該環状保持部１２１に挿入（圧入）するようにしてもよい。このようにしても、環状保持部１２１が画定した貫通穴１２０に筆穂１１を挿入すると、筆穂１１の外周と環状保持部１２１とに弾性層１２４が挟まれ、弾性層１２４が環状保持部１２１の内周面に圧接するとともに筆穂１１の外周形状（外周回りにある毛１１０…）に対応して変形することになる。
【００５０】
これにより、弾性層１２４は、外周にある毛１１０の間に嵌り込んだ状態になるため、筆穂１１と環状保持部１２１の内周との間に隙間が形成されることがなく、また、筆穂１１を構成する多数の毛１１０…の配置が拘束されることになる。
【００５１】
従って、この場合においても、インク又は墨液を外部に漏らすことなく、適量のインク又は墨液を筆穂１１の先端まで供給することができる。また、筆穂保持部材１２（環状保持部１２１）の内周面と、筆穂１１の外周面との両方に弾性層１２４を形成しても同様の効果を奏することは言うまでもない。但し、筆穂１１の外周に弾性層１２４を形成する場合、毛１１０を束ねて筆穂１１を形成した上で、上記実施形態で説明したように液状又はゲル状の樹脂（弾性素材）を塗布して固化させることが好ましい。このようにすれば、弾性層１２４が筆穂１１（多数の毛１１０の束）の周囲で固まる結果、該弾性層１２４で毛１１０を束ねた状態に維持させることもできる。
【符号の説明】
【００５２】
１…筆ペン、１０…ペン本体、１１…筆穂、１２…筆穂保持部材（筆ペン用筆穂保持部材）、１３…導入部材、１４…スポンジ部材、１００…胴軸、１０１…雄ネジ、１０２…刺針部、１０５…先軸、１０６…雌ネジ、１１０…毛、１１１…鍔状部、１２０…貫通穴、１２１…環状保持部、１２２ａ，１１２ｂ…延出部、１２２ｃ，１２２ｄ…スリット、１２３…フランジ部、１２４…弾性層、１３０…封止部、１３１…導入針、１３２…供給針
【図１】
0005421070.tif 000002
【図２】
0005421070.tif 000003
【図３】
0005421070.tif 000004
【図４】
0005421070.tif 000005
【図５】
0005421070.tif 000006
【図６】
0005421070.tif 000007